(57)【要約】【課題】遊技盤の作製が容易で、かつ障害釘の釘打ち性が高まるとともに、釘調整による釘孔のゆるみを防止することができ、また自然環境にやさしく、ブリード性に優れ、さらに玉の滑り性を阻害せず、表示画面が雲らない遊技盤および弾球遊技盤を提供する。【解決手段】１以上の入賞口３０が形成され、かつ裏側に複数種類の識別情報を変動表示可能な液晶パネル３２が設けられる弾球遊技機１０用の遊技盤１４において、可塑剤を含有しない、（Ａ）セルロース・アセテート系樹脂および（Ｂ）脂肪族ポリエステルを主成分とする樹脂組成物（ただし、可塑剤を含有しない）製の１枚板からなる透過性の基板１３を備えた。【選択図】図２
2008011946.tif 000002
【特許請求の範囲】
【請求項１】
１以上の入賞口が形成され、かつ裏側に複数種類の識別情報を変動表示可能な可変表示部が設けられる弾球遊技機用の遊技盤において、
（Ａ）セルロース・アセテート・ブチレート樹脂、セルロース・アセテート・プロピオネート樹脂およびセルロースジアセテート樹脂の群から選ばれた少なくとも１種のセルロース・アセテート系樹脂、ならびに（Ｂ）ガラス転移温度（Ｔｇ）が０℃以下である脂肪族ポリエステルを主成分とする樹脂組成物（ただし、可塑剤を含有しない）製の１枚板からなる透過性の基板を備えた遊技盤。
【請求項２】
基板を構成する樹脂組成物が、（Ａ）セルロース・アセテート系樹脂９９〜５０重量％、（Ｂ）脂肪族ポリエステル１〜５０重量％〔ただし、（Ａ）＋（Ｂ）＝１００重量％〕を主成分とする請求項1記載の遊戯盤。
【請求項３】
可変表示部が液晶、プラズマおよびエレクトロルミネッセンス表示方式装置のいずれかである請求項１に記載の遊技盤。
【請求項４】
基板の表面または裏面には、絵柄が描かれた絵柄フィルムが設けられた請求項１〜請求項３のうち、何れか１項に記載の遊技盤。
【請求項５】
１以上の入賞口が設けられた遊技盤と、複数種類の識別情報を変動表示可能な可変表示部とを有し、
該可変表示部における変動表示結果が、予め定められた特定表示態様となった場合に、所定の遊技価値が付与可能な弾球遊技機において、
遊技盤が、請求項１〜請求項４のうち、何れか１項に記載のものである弾球遊技機。
【発明の詳細な説明】
【技術分野】
【０００１】
本発明は、遊技盤および弾球遊技機、詳しくは、パチンコやスマートボールなどの弾球遊技機およびこれに用いられる遊技盤に関する。
【背景技術】
【０００２】
多数のパチンコ遊技装置が設置されているパチンコホールでは、遊技者を退屈させないように、頻繁に新しいパチンコ遊技装置に入れ替えが行われている。
その際、高価な液晶パネルなどからなる可変表示部を有した表示装置と、遊技盤とを併せて交換したり、パチンコ遊技装置の筐体ごと交換されている。その結果、多大な費用がかかっていた。しかも、このときには、交換する必要のないパチンコ遊技装置の構成部材などまでもが一緒に交換されている。例えば、液晶パネルなどは、劣化が少なく再利用が十分可能であるにもかかわらず、再利用される機会もなく廃棄処分されていた。
また、従前のパチンコ遊技装置では、遊技盤に液晶パネルなどからなる可変表示部を備えた表示装置が遊技盤に設けられている。表示装置からは多数の配線が導出されているため、表示装置を残したまま遊技盤のみを交換するということは困難であった。
【０００３】
これを解消するものとして、例えば特許文献１が知られている。
これは、遊技盤を、軟質材からなる透過性の表基板と、硬質材からなる透過性の裏基板とにより構成したものである。表基板は、弾球遊技機の本体枠体または裏基板と着脱可能とし、面換えを行う際、絵柄フィルムが配設され、かつ障害釘が植設された表基板のみを取り外して交換できるようにしたものである。
軟質材としては、エチレン−プロピレンゴム、クロロプレンゴム、ポリウレタンゴムなどの透明ゴムや、ポリ塩化ビニル樹脂、ポリエチレン樹脂などが挙げられる。
硬質材としては、アクリル樹脂、アクリロニトリル−ブタジエン−スチレン樹脂（ＡＢＳ樹脂）、ポリカーボネート樹脂などが挙げられる。表基板の厚さは２〜４ｍｍ、裏基板の厚さは１〜３ｍｍであった。
【０００４】
しかしながら、特許文献１の遊技盤は、軟質材からなる表基板と硬質材からなる裏基板とにより構成されていた。そのため、遊技盤の作製時には、表基板と裏基板とを重ね合わせて接着したり、ねじ止めしたりする必要があり、両基板の重ね合わせ作業が面倒であった。
また、エチレン−プロピレンゴム、クロロプレンゴム、ポリウレタンゴムなどの透明ゴムや、ポリ塩化ビニル樹脂、ポリエチレン樹脂などからなる軟質材製の表基板では、素材が軟らか過ぎて障害釘の植設が安定せず、しかもパチンコホールでの度重なる釘調整により、表基板の釘孔が大きくなって、打ち込まれた障害釘がガタつきやすかった。
【０００５】
ところで、従来の遊戯盤の基板としては、セルロース・ジアセテートやセルロース・アセテート・ブチレートなどのセルロース・アセテート系樹脂に大量の可塑剤を配合した樹脂組成物を用いた透過性の1枚板からなるものが多く用いられている。しかしながら、このような従来の基板では、可塑剤を大量に使用しているため、自然環境に優しくなく、また可塑剤がブリードし、玉の滑り性を阻害するという問題や表示画面を曇らせるという問題点を有する。
一方、最近、セルロース・アセテート・ブチレートにポリブチレンサクシネートを特定量配合し、溶液キャスト法で得られたフィルムは透明性に優れていることが示されているが（非特許文献１）、該フィルムの用途については、まったく記載も示唆もされていない。
【特許文献１】特開２００４−１６００３３号公報
【非特許文献１】Tohru  Tatsushima,  et  al.  Journal  of  Applied  Polymer  Science,  Vol.96,400-406(2005)
【発明の開示】
【発明が解決しようとする課題】
【０００６】
本発明は、作製が容易で、かつ障害釘を１枚板からなる透過性の基板に打ったときの釘打ちの安定性（以下、釘打ち性）が高まるとともに、釘調整による釘孔のゆるみを防止することができ、また、可塑剤を使用していないので、自然環境にも優しく、玉の滑り性を阻害せず、表示画面が雲らない遊技盤および弾球遊技機を提供することにある。
【課題を解決するための手段】
【０００７】
請求項１に記載の発明は、１以上の入賞口が形成され、かつ裏側に複数種類の識別情報を変動表示可能な可変表示部が設けられる弾球遊技機用の遊技盤において、
（Ａ）セルロース・アセテート・ブチレート樹脂、セルロース・アセテート・プロピオネート樹脂およびセルロースジアセテート樹脂の群から選ばれた少なくとも１種のセルロース・アセテート系樹脂、ならびに（Ｂ）ガラス転移温度（Ｔｇ）が０℃以下である脂肪族ポリエステルを主成分とする樹脂組成物（ただし、可塑剤を含有しない）製の１枚板からなる透過性の基板を備えた遊技盤である。
【０００８】
請求項２記載の発明は、基板を構成する樹脂組成物が、（Ａ）セルロース・アセテート系樹脂９９〜５０重量％、（Ｂ）脂肪族ポリエステル１〜５０重量％〔ただし、（Ａ）＋（Ｂ）＝１００重量％〕を主成分とする請求項1記載の遊戯盤である。
【０００９】
請求項３に記載の発明は、上記可変表示部が液晶、プラズマおよびエレクロルミネッセンス(以下、ＥＬという。)表示方式装置のいずれかである請求項１に記載の遊技盤である。
【００１０】
請求項４に記載の発明は、上記基板の表面または裏面には、絵柄が描かれた絵柄フィルムが設けられた請求項１〜請求項３のうち、何れか１項に記載の遊技盤である。
【００１１】
請求項５に記載の発明は、１以上の入賞口が設けられた遊技盤と、複数種類の識別情報を変動表示可能な可変表示部とを有し、
該可変表示部における変動表示結果が、予め定められた特定表示態様となった場合に、所定の遊技価値が付与可能な弾球遊技機において、上記遊技盤は、請求項１〜請求項４のうち、何れか１項に記載のものである弾球遊技機である。
【００１２】
弾球遊技機としては、パチンコ、スマートボールなどを採用することができる。
ここでいう識別情報とは、文字、記号、絵柄又は模様（図柄）などの視覚によって識別可能な情報をいい、後述する可変表示部に表示される。また、識別情報には後述する変動図柄が含まれる。なお、変動図柄とは、変動表示され得る図柄をいう。
また、変動表示とは、識別情報が順次変化する場合、例えば、１つの識別情報である図柄「７」から他の識別情報である図柄「８」へ変化する場合や、図柄「９」から他の図柄へ変化する場合のほか、識別情報を表示し得る表示領域において１つの識別情報が表示されたままその識別情報が移動して表示されるような場合、例えば、１つの図柄「７」が表示領域内において表示されつつ移動する場合などを含む概念である。
【００１３】
変動表示結果とは、上述したように識別情報が変動表示された後、停止表示されたものをいい、この変動表示結果が、特定表示態様となった場合、所定の遊技価値が付与されることになる。また、遊技価値としては、例えば、遊技球を挙げることができるが、上記遊技価値は、例えば、遊技球の数と等価なデータが制御部のＲＡＭなどに記憶されることにより付与されることとしてもよい。
特定表示態様とは、予め定められた変動表示結果をいい、上記特定表示態様としては、例えば「７」−「７」−「７」などを挙げることができる。変動表示結果が特定表示態様となった場合に、所定の遊技価値が付与されることになる。
【００１４】
可変表示部とは、複数種類の識別情報を変動表示可能なものをいう。可変表示部における変動表示結果が、予め定められた特定表示態様となった場合に、所定の遊技価値が付与される。
具体的に、上記可変表示部には、少なくとも複数の変動図柄の変動表示が開始されてから、複数の変動図柄が停止表示されるまでを１回のゲームとする可変表示ゲームを示す画面画像が表示される。また、上記画面画像には、可変表示ゲームを示す画像以外に、静画像や動画像などからなる演出画像が表示されることとしてもよい。上記可変表示部としては、特に限定されるものではないが、例えば、プラスチック液晶、液晶パネル、プラズマ、EL表示装置などからなるものを挙げることができる。
【００１５】
液晶パネルとは、液晶層、その両面に設けられた配向膜、透明電極、カラーフィルタなど（以下、液晶層等ともいう）が２枚のガラス基板により挟持されるとともに、２枚のガラス基板の外面に偏光板などが設けられたものであって、画像を表示することが可能であるものをいう。
本発明の弾球遊技機において用いられる液晶パネルとしては、特に限定されるものではなく、従来公知の液晶パネルを用いることが可能である。
【００１６】
また、プラスチック液晶とは、上述した液晶パネルにおいて、液晶層などがガラス基板ではなく、プラスチック基板により挟持されたものをいう。
本発明の弾球遊技機において用いられるプラスチック液晶としては、特に限定されるものではなく、従来公知のプラスチック液晶を用いることが可能である。
【００１７】
一方、プラズマディスプレイは、二枚のガラスの間にヘリウムやネオンなどの高圧のガスを封入し、そこに電圧をかけることによって発光させる表示装置である。発光する原理は、蛍光灯と同じで、他の方式に比べてコントラストが高く、視野角が広いという特徴がある。
【００１８】
また、エレクトロルミネッセンス（ＥＬ）ディスプレイは、電圧をかけると発光する物質を利用したディスプレイである。発光体をガラス基板に蒸着し、基板にかける電圧を制御して表示を行う。低電力で高い輝度を得ることができ、視認性、応答速度、寿命、消費電力の点で優れており、液晶ディスプレイのように薄型にすることができる。
【００１９】
なお、本発明において、これら表示装置は特に限定されるものではなく、例えば、製造コスト、耐衝撃性などを考慮して、適宜選択することが可能である。
なお、以下においては、可変表示部として、液晶パネル又はプラスチック液晶が設けられている場合について説明することとする。また、本発明では、液晶パネルとプラスチック液晶とを併せて、液晶パネル等ともいうこととする。
【００２０】
本発明の弾球遊技機に設けられる液晶パネルなどの大きさは、遊技者が液晶パネルなどに表示される画像を視認することができる範囲であれば、特に限定されるものではない。また、液晶パネルなどが設けられる位置については、特に限定されるものではなく、１枚板からなる透過性の基板の裏面に設けられていてもよく、また、上記基板に嵌め込まれていてもよい。液晶パネルなどの位置および大きさについては、例えば、演出画像や可変表示ゲームを示す画面画像の大きさや、製造コストなどを考慮して、適宜設定することが可能である。また、本発明の弾球遊技機に設けられる液晶パネルなどの数は、必ずしも１枚である必要はなく、複数枚の液晶パネルなどが設けられることとしてもよい。
【００２１】
本発明に係る液晶パネルなどの駆動方式としては、特に限定されるものではなく、例えば、アクティブマトリックス駆動方式、パッシブマトリックス駆動方式、ダイナミック駆動方式などの従来公知の種々の駆動方式を用いることができる。
また、本発明に係る液晶パネルなどに光を照射するバックライトは、特に限定されるものではなく、その方式としては、例えば、反射板方式、導光体方式、面状光源方式などの従来公知の方式のバックライトを用いることができる。
【００２２】
ここでいう透過性とは、可変表示部に表示される画像を、１枚板の基板からなる遊技盤を介してはっきりと視認することが可能な程度に、上記基板が透明であることをいい、上記基板の可視光線透過率が共に３０％以上であることが望ましく、共に５０％以上であることがより望ましい。
【００２３】
本発明において、上記基板を構成する樹脂組成物のうち、（Ａ）セルロース・アセテート系樹脂は、セルロース・アセテート・ブチレート樹脂、セルロース・アセテート・プロピオネート樹脂、またはセルロースジアセテート樹脂であり、これらの樹脂は、通常、入手可能などのようなものを用いてもよい。
（Ａ）セルロース・アセテート系樹脂は、これらの樹脂の１種単独でもよいし、２種以上を併用してもよい。
（Ａ）セルロース・アセテート系樹脂としては、好ましくは、セルロース・アセテート・ブチレート樹脂あるいはセルロース・アセテート・プロピオネート樹脂である。
【００２４】
樹脂組成物中、（Ａ）セルロース・アセテート系樹脂の配合割合は、通常、９９〜５０重量％、好ましくは９５〜６０重量％である。９９重量％を超えると、押出機などの成型機器での加工性が悪くなる。一方、５０重量％未満では、ヘイズ値が高くなり透明性が阻害される。
【００２５】
一方、上記樹脂組成物を構成する（Ｂ）脂肪族ポリエステルは、ガラス転移温度（Ｔｇ）が０℃以下、好ましくは−２０〜−５０℃の必要がある。（Ｂ）脂肪族ポリエステルのガラス転移温度（Ｔｇ）が０℃を超えると、（Ａ）成分とブレンドしても、得られるシートの可撓性が損なわれ、釘打ちの際、クラックが発生、遊戯盤の基板として好ましくない。
【００２６】
本発明に使用することができる（Ｂ）脂肪族ポリエステルは、ポリブチレンサクシネート、ポリブチレンサクシネート・アジペート共重合体、ポリブチレンサクシネート・カーボネート共重合体、ポリ（ε−カプロラクトン）、ポリ（３−ヒドロキシブチレート）とその共重合体、ポリエチレンサクシネート、ポリブチレンサクシネート・テレフタレート共重合体、ポリブチレンアジペート・テレフタレート共重合体、ポリテトラメチレンアジペート・テレフタレート共重合体、ポリブチレンサクシネート・アジペート・テレフタレート共重合体、およびこれらの混合物である。
【００２７】
なお、上記ポリブチレンサクシネートには、ポリブチレンサクシネート単独とランダム共重合体のポリブチレンサクシネート・アジペート（ＰＢＳ−ＡＤ）とがある。ポリブチレンサクシネート単独の融点は１１６℃、ポリブチレンサクシネート・アジペートは９６℃である。
【００２８】
樹脂組成物中、（Ｂ）脂肪族ポリエステルの配合割合は、通常、１〜５０重量％、好ましくは５〜４０重量％である。１重量％未満では、得られるシートの可撓性が損なわれ、釘打ちの際、クラックの発生、また、押出機などの成型機器での加工性が悪くなる。一方、５０重量％を超えると、ヘイズ値が高くなり、透明性が損なわれる。
【００２９】
上記樹脂組成物には、必要に応じて、通常用いられる帯電防止剤、安定剤、酸化防止剤、または色調調整のために染料や顔料を添加しても良い。
また、これら添加剤を合成樹脂に練り込む方法については、従来公知の方法が使用される。例えば、合成樹脂と帯電防止剤や安定剤とを混合攪拌機で充分に混合し、押出加工、ブロックプレス、キャスティングなどの装置により板状に成型すればよい。
【００３０】
基板は、上記の樹脂成分、さらに必要に応じて添加剤を配合した樹脂組成物を、常法に従い、押出加工、ブロックプレス、キャスティングなどにより基板化することによって得られる。
基板の厚さは、１〜３０ｍｍが好ましく、さらに好ましくは１０ｍｍ前後である。
基板の表側はハードコートしてもよいし、しなくてもよい。ハードコート剤としては、アクリル系、ウレタン系、シリコーン系、ポリエステル系などを採用することができる。
基板をハードコートする方法としては、例えばディッピング、スプレー、塗布、転写方法などを採用することができる。
以上の基板は、（Ａ）セルロース・アセテート系樹脂および（Ｂ）脂肪族ポリエステルが特定割合で配合された樹脂組成物を用いているため、厚さ１．０ｍｍに成形されたシートにおけるＪＩＳ  Ｋ６７１４に準拠して測定したヘイズが２０％以下、好ましくは０．１〜１０％程度の透明なシートである。
【００３１】
基板の表面または裏面には絵柄フィルムを設けてもよい。絵柄とは、模様と色彩との結合をいい、絵柄フィルムとは、その表面または裏面に絵柄が描かれたフィルムをいう。
絵柄フィルムには、模様のみが描かれてもよいし、色彩のみが描かれてもよい。また、絵柄フィルムには、文字、数字、揮毫などが描かれてもよい。さらに、絵柄フィルムに描かれた絵柄は、光を一部透過してもよく、光を全て遮断してもよい。
絵柄フィルムに絵柄を形成する方法としては限定されない。例えば、オフセット印刷、シルク印刷、フレキソ印刷、グラビア印刷などにより透明なフィルムに印刷層を形成してもよいし、絵柄の描かれたシールなどをフィルムに貼り付けてもよい。
【発明の効果】
【００３２】
本発明の遊技盤および弾球遊技機によれば、可塑剤を含有しない、上記（Ａ）セルロース・アセテート系樹脂および（Ｂ）脂肪族ポリエステルを主成分とする樹脂組成物からなる１枚板からなる透過性の基板を備えたので、樹脂特有の伸縮性、柔軟性、透明性、加工性がパチンコ仕様として優れているという理由により、遊技盤の作製が容易で、かつ障害釘の釘打ち性が高まるとともに、釘調整による釘孔のゆるみを防止することができる。また、可塑剤を用いていないので、リサイクル性に優れ、自然環境にやさしく、また、玉の滑り性を阻害しない、表示画面が雲らないという利点を有する。
【発明を実施するための最良の形態】
【００３３】
実施例１
以下、図面を参照して、本発明の実施例を具体的に説明する。ただし、本発明は、この実施例により何ら限定されるものではない。
図１において、１０は本発明の実施例１に係る弾球遊技機で、この弾球遊技機１０は、本体枠１２と、本体枠１２に組み込まれた遊技盤１４と、遊技盤１４の前面に設けられた本体枠１２の窓枠１６と、窓枠１６の下側で本体枠１２の前面に設けられた上皿２０および下皿２２と、下皿２２の右側に設けられた発射ハンドル２６とを備えている。
【００３４】
遊技盤１４は、樹脂製の透明な基板１３を有している。基板１３は、セルロース・アセテート・ブチレート樹脂（イーストマン・ケミカル社製、商品名：Tenite Butyrate）８０重量％とポリブチレンサクシネート（昭和高分子社製、商品名：ビオノーレ、Ｔｇ＝−３２℃）２０重量％を、既知の方法で特に制限されるものではないが、直接投入する方法や、一度押出機を用いてストランド状にするなどの方法をとり、溶融ブレンドし、シート化には、Ｔダイ押出法、インフレーション押出法、カレンダー法などのように、溶融押出してなる１枚板からなる透過性のものである。基板１３の厚さは１０ｍｍである。
また、基板１３の所定位置には、弾球の入賞口３０が複数形成されている。また、基板１３には、その表側から多数本の障害釘が打たれている。
なお、この基板１３のＪＩＳ  Ｋ６７１４に準拠して測定したヘイズ値（ただし、厚さ１ｍｍ）は３．４％であり、透明性に優れていた。
【００３５】
基板１３は、本体枠１２に形成された凹部１２ｃに着脱不可能に固定されている。基板１３は、本体枠１２の爪部１２ａに掛止状態で立設されている。基板１３の表面には、絵柄フィルム１５が貼られている。絵柄フィルム１５は、絵柄の描かれていない非絵柄描画領域１５ａと、絵柄の描かれた絵柄描画領域１５ｂとからなる。従って、全体として、絵柄フィルム１５を含む遊技盤１４は、液晶パネル（可変表示部）３２の前方部分が透明となっている。
【００３６】
絵柄フィルム１５を含む遊技盤１４の透明な部分（透明部）の裏面には、アクティブマトリックス駆動方式の液晶パネル３２と、液晶パネル３２に対して光を照射するバックライト３４ａ，３４ｂとを備えた表示装置３５が設けられている。この液晶パネル３２が、少なくとも複数の変動図柄の変動表示が開始されてから、複数の変動図柄が停止表示されるまでを１回のゲームとする可変表示ゲームを示す画面画像が表示される可変表示部である。
【００３７】
遊戯中、ハンドル２６を操作して発射手段により発射された遊技球は、遊技釘に当りながら流下し、風車に当接して入賞口３０に入るか、回収口（アウト口）に入る。
液晶パネル３２により表示される特別図柄は、例えば「０」から「９」の１０種類の数字からなり、図柄の変動表示が開始されると、その特別図柄の数字が移動および変化し、開始から一定時間後に停止する。そして、この停止時に表示された図柄が予め定められた特別図柄の組合せ（例えば「７、７、７」）であれば、当たりとなって大きい入賞口３０の扉が所定時間だけ開き、遊技球が入賞し易く遊技者に有利な状態となる。
【００３８】
このように、実施例１では、基板１３として、可塑剤を含有していない、セルロース・アセテート・ブチレート樹脂およびポリブチレンサクシネートを主成分とする樹脂組成物からなる１枚板からなる透過性のものを使用するようにしたので、樹脂特有の伸縮性、柔軟性、透明性、加工性がパチンコ仕様として優れているという理由により、遊技盤の作製が容易で、かつ障害釘の釘打ち性が高まるとともに、釘調整による釘孔のゆるみを防止することができる。
また、基板１３では、透明性、耐摩耗性、反り性に対しても良好な結果が得られた。
さらに、この基板１３では、可塑剤を含有していないので、下記のようにして、該基板自体のブリードアウト試験を実施したが、ブリードアウト評価は良好であった。
さらに、この基板は、可塑剤を含有しないので、遊戯盤の廃棄処分の際も、取り外して焼却処分することができ、コンポスト中でも分解し、自然環境に優しいことが実証された。
さらに、この基板は、可塑剤を含有しないので、玉の滑り性を阻害せず、表示画面が雲らないことが確認された。
【００３９】
ブリードアウト試験
実施例１で使用された基板１３に紙を載せて、温度５０℃、湿度９０％の雰囲気下で７２時間放置し、ブリードアウトの経時変化を観察した。
○（良好）：基板表面の変化がなく、紙への汚染が観察されない。
△（可）：基板表面にやや曇りが観察され、紙への汚染が少量観測された。
×（不良）：基板表面に著しく曇りが発生し、紙への汚染が多量観測された。
【００４０】
比較例１〜２
実施例１において、基板に用いられる樹脂組成物１００重量部に対し、さらに可塑剤としてジエチルヘキシルアジペート（新日本理化社製、商品名サンソサイザーＤＯＡ）を９重量％（比較例１）、あるいは３重量％（比較例２）含有する樹脂組成物を用いて、実施例１と同様にして基板１３を作製し、実施例１と同様にして、遊戯盤を組み立てた。
比較例１〜２で用いられた基板を実施例１と同様にして、ブリードアウト性を評価したが、それぞれ、不良、可であった。
また、比較例１の遊戯盤では、組み立て後２週間経過した時点の確認で、表示画面の曇りと、貼り合わせた絵柄フィルムの剥がれが発生し、また、比較例２の遊戯盤では、可撓性が損なわれ、釘打ちの際、クラックが発生しており、いずれも、実施例１の遊戯盤に較べて、遊技盤としての安定性の点において劣っていた。
【００４１】
なお、実施例１で用いられた基板のブリードアウト試験前のヘイズ値（ただし、厚さ1ｍｍ）は３．４％、ブリードアウト試験後のヘイズ値（ただし、厚さ1ｍｍ）は３．５％、比較例１で用いられた基板のブリードアウト試験前のヘイズ値（ただし、厚さ1ｍｍ）は４．３％、ブリードアウト試験後のヘイズ値（ただし、厚さ1ｍｍ）は３６．８％、比較例２で用いられた基板のブリードアウト試験前のヘイズ値（ただし、厚さ1ｍｍ）は３．９％、ブリードアウト試験後のヘイズ値（ただし、厚さ1ｍｍ）は２１．４％であった。
ここで、ヘイズ値は、厚さ１．０ｍｍに成形されたシートにおけるＪＩＳ  Ｋ６７１４に準拠して測定した値である。
【図面の簡単な説明】
【００４２】
【図１】本発明の実施例１に係る弾球遊技機の正面図である。
【図２】本発明の実施例１に係る弾球遊技機に組み込まれた遊技盤の縦拡大断面図である。
【符号の説明】
【００４３】
１０  弾球遊技機
１３  基板
１４  遊技盤
１５  絵柄フィルム
３０  入賞口
３２  液晶パネル（可変表示部）
【図１】
2008011946.tif 000003
【図２】
2008011946.tif 000004